(57)【要約】【課題】防虫網を設けた火災感知器にスピーカを内蔵させて、感知器本体より警報音や合成音声を発することができる火災感知器を提供する。【解決手段】天井面などに取り付けされるベース１の下方に、防虫網５を内装した感知部ヘッドカバー４を設けた構成の火災感知器１０において、感知器ヘッドカバー４の内底面に、スピーカ６が下方に位置するようにして、防虫網５を内装した構造にしている。【選択図】図１
2008134876.tif 000002
【特許請求の範囲】
【請求項１】
天井面などに取り付けされるベースの下方に、防虫網を内装した感知部ヘッドカバーを設けた構成の火災感知器において、
感知器ヘッドカバーの内底面に、スピーカが下方に位置するようにして、防虫網を内装した構造にしていることを特徴とする火災感知器。
【請求項２】
請求項１において、
上記防虫網は、上げ底部を設けた筒型本体を有した構造体とされ、該上げ底部によって形成される下方の空所に、スピーカを収容した構造にしていることを特徴とする火災感知器。
【請求項３】
請求項１において、
上記防虫網は、底部を開口させた筒型本体を有した構造体とされ、該底部に、スピーカを嵌めこんだ構造にしていることを特徴とする火災感知器。
【請求項４】
請求項２、３のいずれか１項において、
上記スピーカは、振動板を下方に向けて設置され、
上記防虫網の筒型本体は、該スピーカを収容する空間を取り囲むように基台部を備え、該基台部には複数の貫通孔が設けられていることを特徴とする火災感知器。
【発明の詳細な説明】
【技術分野】
【０００１】
本発明は、防虫網を内装した感知部ヘッドカバーを設けた構成の火災感知器の改良に関するものである。
【背景技術】
【０００２】
従来の天井面などに設置する火災感知器には、感知器ヘッド部に対し、環状の防虫網を内装した感知部ヘッドカバーを下方より被せたものがある（例えば、特許文献１参照）。
【特許文献１】特開平１１−１６０６４号公報
【発明の開示】
【発明が解決しようとする課題】
【０００３】
このような防虫網を設けたカバーを取り付ける場合、カバーのサイズ（深さ）を調整すれば、感知器ヘッドの下方のカバーの内底面上に種々の電子部品を設置することができるが、深く形成すれば気体の流通の妨げになると考えられていたため、従来にはそのような構造のものはなかった。
【０００４】
特に近年、報知手段としてブザーに代えて、あるいは加えてスピーカを感知器に接続することが発案されているが、外部接続ではじゃまで、かつ見栄えも悪くなるため、スピーカを内蔵させることが望まれている。また、スピーカを内蔵すれば、天井など高所から警報音や音声が発せられるので、音や音声は住居空間全体に行き渡りやすくなる。
【０００５】
本発明は、このような事情を考慮して提案されたもので、その目的は、防虫網を設けた火災感知器にスピーカを内蔵させて、感知器本体より警報音や合成音声を発することができる火災感知器を提供することにある。
【課題を解決するための手段】
【０００６】
上記目的を達成するために、請求項１に記載の火災感知器は、天井面などに取り付けされるベースの下方に、防虫網を内装した感知部ヘッドカバーを設けた構成の火災感知器において、感知器ヘッドカバーの内底面に、スピーカが下方に位置するようにして、防虫網を内装した構造にしている。
【０００７】
請求項２に記載の火災感知器は、防虫網が上げ底部を設けた筒型本体を有した構造体とされ、上げ底部によって形成される下方の空所に、スピーカを収容した構造にしている。
【０００８】
請求項３に記載の火災感知器は、防虫網が底部を開口させた筒型本体を有した構造体とされ、その底部にスピーカを嵌めこんだ構造にしている。
【０００９】
請求項４に記載の火災感知器は、スピーカが振動板を下方に向けて設置され、防虫網の筒型本体は、スピーカを収容する空間を取り囲むように基台部を備え、その基台部には複数の貫通孔が設けられていることを特徴とする。
【発明の効果】
【００１０】
請求項１に記載の火災感知器によれば、感知器ヘッドカバーの内底面にスピーカを収容させているため、感知器本体より音や音声を発することができる。特にスピーカを下方に向ければ、音や音声は住居空間全体に行き渡りやすい。また、報知手段にスピーカを用いているため、複数種類の音声警報にも対応できる。
【００１１】
請求項２に記載の火災感知器によれば、筒型本体を有した構造体に形成された防虫網の上げ底部の空所にスピーカを収容する構造としているため、スピーカを隔離された空間に配置でき、その空間に気体や煙が入り込むおそれがない。
【００１２】
請求項３に記載の火災感知器によれば、防虫網を、底部を開口させた筒型本体を有した構造体とし、その開口にスピーカを嵌めこんだ構造としているため、防虫網構造体を簡易な構造とすることができる。また、スピーカを中空の筒体に収容させたスピーカユニットとして形成すれば、開口に嵌めこみやすい。そのようにすれば、感知器ヘッドカバーを取り付けなくとも十分に見栄えがよい。
【００１３】
請求項４に記載の火災感知器によれば、防虫網のスピーカを収容した空間を取り囲む部分に基台部を設け、その基台部に複数の貫通孔を形成させているため、スピーカ収容部の背面側空間が密閉されず、音がこもったり濁ったりすることなく、また感知器ヘッド部に悪影響を与えることもなく、スピーカの収容空間を良好に振動させることができる。
【発明を実施するための最良の形態】
【００１４】
以下に、本発明の実施の形態について、添付図面を参照しながら説明する。
【００１５】
図１は、本発明の火災感知器の一例を示す縦断面図である。
【００１６】
図１中、１は天井面などに取り付けされるベース、２はベース２の中央に設けた回路基板、３はベース２の下方に配置され、発光素子（不図示）や受光レンズ（不図示）などで構成された感知器ヘッド部、４は有底筒型の感知器ヘッドカバー、５は環状の防虫網、６はスピーカである。なお、本図では感知器ヘッドカバー４の底部４３に設けたスピーカ孔は図示を省略している。
【００１７】
感知器ヘッドカバー４は、感知器ヘッド部３に気体や煙を流通させるために、格子状に枠組された多数の窓枠４２で仕切られた多数の開口窓４１が設けられている。また感知器ヘッドカバー４は、スピーカ６を感知器ヘッド部３の下方に収容させるために、ヘッド部３よりも深く形成されている。感知器ヘッド部３に流入した気体が途中でスピーカ６側に流れ込むことを防止するため、図１に示すように、スピーカ６を収容する内底面側の周壁には窓を形成しないほうが望ましい。
【００１８】
また、感知器ヘッド部３とスピーカ収容空間とを遮蔽するようにしてもよく、その場合には、後述する図２の例で示す防虫網５の筒型本体５０に設けた複数の貫通孔５５と同様の孔を、感知器ヘッドカバー４のスピーカ収容空間の周壁に設けてもよい。
【００１９】
この火災感知器１０によれば、感知器ヘッドカバー４の内底面にスピーカを収容させているため、感知器本体より音や音声を発することができる。特にスピーカを下方に向けているため、音や音声は高所より住居空間全体に行き渡らせることができる。また、合成音声で報知するようにすれば、火災警報、電池切れ報知など複数の警報をわかりやすく報知させることができる。また、スピーカが外付けでも、剥き出しでもないため、見栄えもよい。
【００２０】
次に、本発明の火災感知器の他例を、図２の分解斜視図を用いて説明する。
【００２１】
この火災感知器１０の例は、防虫網５が樹脂などで一体成形された筒型本体５０を有した構造体とされ、その防虫網５を感知器ヘッドカバー４で覆う構造となっている。
【００２２】
防虫網５の筒型本体５０は、上部に位置した網部５１と下部に位置した基台部５２とを含んで構成され、筒内の網部５１と基台部５２の境界には底部５３が形成されている。つまり、この底部５３は上げ底であり、下方に空所Ｓを形成している。
【００２３】
また、網部５１は下方を窄ませた形状としており、後述の感知器ヘッドカバー４を被せたときに嵌着できるように、筒型本体５０の上端から下端まで形成させた複数の縦桟５４を有している。さらにこの縦桟５４は、感知器ヘッドカバー４の開口窓４１から入ってきた気体が網部５１の周囲を通って他の開口窓４１から抜けてしまうことを防止している。
【００２４】
さらに基台部５２には、スピーカ６の背面側空間を密閉させないように複数の貫通孔５５・・・が開設されている。これらの貫通孔５５・・・があるため、スピーカ６の背面側の収容空間は密閉されず、音を濁らせたりこもらせたりすることなく、また感知器ヘッド部３への悪影響を与えることなくスピーカ６の音出力によりその空間を良好に振動させることができる。
【００２５】
なお、網部５１の詳細構造については、図４にて後述する。
【００２６】
また、図２や後述の図３の例では、このようなすり鉢形状の防虫網５を使用しているが、これには限られず、上下端が同じ径の防虫網構造体５を使用してもよい。
【００２７】
図示するように、筒型本体５０の上げ底部５３の下方にできた空所に、振動板６ａを下に向けてスピーカ６が収容され、さらに、そのスピーカ６および防虫網５全体を覆うように、感知器ヘッドカバー４が被せられる。
【００２８】
感知器ヘッドカバー４は、底部４３を有した筒体に形成され、上端の取付鍔部と、縦、横に走る複数の窓枠４２とを有し、それらによって開口窓４１が形成された構造となっている。また、底部４３にはスピーカ孔４４を設けている。
【００２９】
本例の感知器構造によれば、スピーカ６の収容部Ｓは、スピーカ６の配線孔（不図示）を除けば、防虫網５の上げ底部５３によって、感知器ヘッド部２（図１参照）からほぼ完全に遮断されるため、気体が収容部Ｓに入り込む心配がない。
【００３０】
また、防虫網５とスピーカ６との一体化により、スピーカ６の振動が防虫網５にも伝わり、網部５１にたまったほこりをふるい落とすこともできる。
【００３１】
ついで、本発明の火災感知器のさらなる他例を、図３の分解斜視図を用いて説明する。
【００３２】
この火災感知器１０の例も図２の例と同様に、防虫網５が樹脂などで一体成形された筒型本体５０を有した構造体とされ、その防虫網５を感知器ヘッドカバー４で覆う構造となっている。
【００３３】
図２のものとは、防虫網５の底が開口されている点、スピーカがスピーカ本体６を、底部６２を有した筒体６１に内装させたスピーカユニット６０として構成されている点で異なる。その他の図２と同一構成については、図２と同一の符号を付して、その説明を省略する。
【００３４】
スピーカユニット６０は、防虫網５の筒型本体５０の下方開口Ｔに嵌めこまれ、嵌めこまれると、その底部６２が防虫網５の底部のごとく形成される。なお、底部６２はスピーカ孔６３を備えている。
【００３５】
スピーカユニット６０の上面には蓋（不図示）を設けてもよく、そうすれば、感知器ヘッド部３（図１参照）と遮断できる。
【００３６】
そして、スピーカユニット６０を取り付けた防虫網５全体を覆うように、感知器ヘッドカバー４が被せられる。
【００３７】
この火災感知器１０によれば、防虫網５を底なし構造にしているので、簡易に成形できる。また、スピーカユニット６０を防虫網５に嵌めこむ構造であるため、防虫網５とスピーカ６との一体感は高まり、スピーカ６による振動効果はさらに期待できる。
【００３８】
さらに、底部６２を有したスピーカユニット６０を使用するため、感知器ヘッドカバー４を取り外した状態でも見栄えがよく、その状態でも十分に使用できる。つまり、その場合には、防虫網５が感知器ヘッドカバーの側壁を構成し、スピーカユニット６０の底部６２が感知器ヘッドカバーの底部を構成することとなる。
【００３９】
また、感知器ヘッドカバー４を取り付けないことを想定して、防虫網５とスピーカユニット６０との嵌着を確実にし、スピーカユニット６０が落下しないように、係止部を設けることが望ましい。
【００４０】
また、スピーカユニット６０に感知器ヘッド部３と遮断するための蓋を設けた場合には、図２の例と同様に、スピーカ６を良好に振動させるために防虫網５の基台部５２に複数の貫通孔を設けてもよいが、スピーカユニット６０にもその貫通孔に対応した孔や窓を設けることが望ましい。
【００４１】
なお、本例で使用するスピーカユニット６０は、図２で示した上げ底型の防虫網５にも適用できることはいうまでもない。その場合には、スピーカユニット６０に蓋はなくてもよい。
【００４２】
最後に、図２、図３に示した防虫網５の網部５１の詳細構造について、図４の部分縦断面の模式図を用いて説明する。
【００４３】
網部５１には、縦横に走る枠によってモザイク状の通気孔５１ａが形成され、かつ全体として下方を段階的に窄ませた形状とすることで段部５１ｂが形成され、さらに上下に貫通した孔５１ｃが形成される。
【００４４】
つまりこの構造によれば、縦方向にも孔５１ｃが形成されるので、ほこりやごみなどは、その孔５１ｃから各段部５１ａを形成する横枠５１ｄの上面に落ちずにそのまま下方（図２の例では、防虫網５の底部５３の上面）に落下する。そのため、防虫網５の網部５１はあまり汚れず、掃除の手間がかからない。特にスピーカ６の振動作用とあいまって、防虫網５をきれいな状態に保持することができる。
【図面の簡単な説明】
【００４５】
【図１】本発明の火災感知器の一例を示す縦断面図。
【図２】本発明の火災感知器の他例を示す分解斜視図。
【図３】本発明の火災感知器のさらなる他例を示す分解斜視図。
【図４】図２、図３の火災感知器で使用される防虫網の網部の一部断面を含む斜視図。
【符号の説明】
【００４６】
１０      火災感知器
１      ベース
３      感知器ヘッド部
４      感知器ヘッドカバー
５      防虫網
５０      筒型本体
５１      網部
５２      基台部
５３      上げ底部
５５      貫通孔
Ｓ      空所
Ｔ      下方開口
６      スピーカ
６０      スピーカユニット
【図１】
2008134876.tif 000003
【図２】
2008134876.tif 000004
【図３】
2008134876.tif 000005
【図４】
2008134876.tif 000006